(57)【要約】【課題】本発明は、ボールベアリング抑え体の抑え体用ねじ孔にボルトを取り付けた状態で、ボールベアリング抑え体を前蓋に設けることにより、ボールベアリング抑え体とロータとの隙間を縮め、モータの全長を短くすることを目的とする。【解決手段】本発明による回転軸のボールベアリング抑え構造は、前蓋(4)に形成された前蓋用ねじ孔(5)と、前記ボールベアリング抑え体(6)に形成され前蓋用ねじ孔(5)に対応する抑え体用ねじ孔(20)とを有し、ボルト(8)はねじ部(8a)と非ねじ部(8b)とからなり、ボルト(8)がボールベアリング抑え体(6)に設けられた状態で前蓋(4)に取り付けられる構成である。【選択図】図１
2010059983.tif 000002
【特許請求の範囲】
【請求項１】
ロータ(2)を有する回転軸(1)の一端側(1a)にボールベアリング(3)を介して設けられた前蓋(4)と、前記前蓋(4)の内面(4a)にボルト(8)を介して固定され前記ボールベアリング(3)を抑えるためのボールベアリング抑え体(6)と、からなり、前記ボルト(8)及びボールベアリング抑え体(6)は、前記前蓋(4)とロータ(2)との間に位置するように配設した回転軸のボールベアリング抑え構造において、
前記前蓋(4)に形成された前蓋用ねじ孔(5)と、前記ボールベアリング抑え体(6)に形成され前記前蓋用ねじ孔(5)に対応する抑え体用ねじ孔(20)と、を備え、前記ボルト(8)はねじ部(8a)と非ねじ部(8b)とからなり、前記ねじ部(8a)は前記ボルト(8)の先端側に形成され、前記非ねじ部(8b)は前記ねじ部(8a)よりも前記ボルト(8)の頭部(8c)側に位置すると共に前記ねじ部(8a)よりも外径が小径であり、前記ボルト(8)が前記ボールベアリング抑え体(6)に設けられた状態で前記ボールベアリング抑え体(6)が前記前蓋(4)に取り付けられることを特徴とする回転軸のボールベアリング抑え構造。
【請求項２】
前記ボルト(8)の頭部(8c)は、多角形よりなることを特徴とする請求項１記載の回転軸のボールベアリング抑え構造。
【発明の詳細な説明】
【技術分野】
【０００１】
本発明は、回転軸のボールベアリング抑え構造に関し、特に、ボールベアリング抑え体の抑え体用ねじ孔にボルトを取り付けた状態で、ボールベアリング抑え体を前蓋に設けることにより、ボールベアリング抑え体とロータとの間の隙間を従来よりも縮めることができ、結果的にモータの全長を縮めることができるようにするための新規な改良に関する。
【背景技術】
【０００２】
従来、用いられていたこの種の回転軸のボールベアリング抑え構造としては、社内製作のみで特許出願等を行っていないため、構造を示すための特許文献等を示していないが、実際に使用されていた構成は図７に示される通りである。
【０００３】
図７において符号１で示されるものはロータ２を固定して有する回転軸であり、この回転軸１の一端側１ａにはボールベアリング３を介して前蓋４が設けられている。
前記前蓋４には、図示しない周知のモータケース及び後蓋並びにこの後蓋に設けられたボールベアリング３Ａによって前記回転軸１が回転自在に保持されている。
【０００４】
前記前蓋４の内面４ａには、複数の前蓋用ねじ孔５が形成され、この内面４ａには円盤状をなすボールベアリング抑え体６が設けられ、このボールベアリング抑え体６は前記ボールベアリング３を内側から抑えることができるように構成されている。
【０００５】
前記ボールベアリング抑え体６に形成された各貫通孔７にはボルト８が挿入され、このボルト８は前記前蓋用ねじ孔５内に螺入されることにより、前記ボールベアリング抑え体６が前記前蓋４に固定されると共に、前記ボールベアリング３が前記前蓋４に固定される。
【発明の開示】
【発明が解決しようとする課題】
【０００６】
従来の回転軸のボールベアリング抑え構造は、以上のように構成されていたため、次のような課題が存在していた。
すなわち、前記前蓋４の前蓋用ねじ孔５に連通する貫通孔７の孔径は、ボルト８の外径よりも大径の孔であり、この貫通孔７にボルト８を貫通させるためには、ロータ２の端面２ａとボールベアリング抑え体６との間の隙間Ｄは、このボルト８を外部から挿入して取付けることができるだけの隙間が必要であるため、この隙間Ｄの軸方向長さを必要以下に短くすることはできず、結果的に、モータの軸長を短縮する上で、大きい障害となっていた。
【課題を解決するための手段】
【０００７】
本発明による回転軸のボールベアリング抑え構造は、ロータを有する回転軸の一端側にボールベアリングを介して設けられた前蓋と、前記前蓋の内面にボルトを介して固定され前記ボールベアリングを抑えるためのボールベアリング抑え体と、からなり、前記ボルト及びボールベアリング抑え体は、前記前蓋とロータとの間に位置するように配設した回転軸のボールベアリング抑え構造において、前記前蓋に形成された前蓋用ねじ孔と、前記ボールベアリング抑え体に形成され前記前蓋用ねじ孔に対応する抑え体用ねじ孔と、を備え、前記ボルトはねじ部と非ねじ部とからなり、前記ねじ部は前記ボルトの先端側に形成され、前記非ねじ部は前記ねじ部よりも前記ボルトの頭部側に位置すると共に前記ねじ部よりも外径が小径であり、前記ボルトが前記ボールベアリング抑え体に設けられた状態で前記ボールベアリング抑え体が前記前蓋に取り付けられる構成であり、また、前記ボルトの頭部は、多角形よりなる構成である。
【発明の効果】
【０００８】
本発明による回転軸のボールベアリング抑え構造は、以上のように構成されているため、次のような効果を得ることができる。
すなわち、ロータを有する回転軸の一端側にボールベアリングを介して設けられた前蓋と、前記前蓋の内面にボルトを介して固定され前記ボールベアリングを抑えるためのボールベアリング抑え体と、からなり、前記ボルト及びボールベアリング抑え体は、前記前蓋とロータとの間に位置するように配設した回転軸のボールベアリング抑え構造において、前記前蓋に形成された前蓋用ねじ孔と、前記ボールベアリング抑え体に形成され前記前蓋用ねじ孔に対応する抑え体用ねじ孔と、を備え、前記ボルトはねじ部と非ねじ部とからなり、前記ねじ部は前記ボルトの先端側に形成され、前記非ねじ部は前記ねじ部よりも前記ボルトの頭部側に位置すると共に前記ねじ部よりも外径が小径であり、前記ボルトが前記ボールベアリング抑え体に設けられた状態で前記ボールベアリング抑え体が前記前蓋に取り付けられることにより、ボールベアリング抑え体に予めボルトを組み付けておくことができ、そのため、ロータとボールベアリング抑え体との間の隙間を従来よりも小さくでき、モータの軸長を短縮させることができる。
また、前記ボルトの頭部は、多角形よりなることにより、ロータとボールベアリング抑え体との間の小さい隙間を介して治具によるボルト締めを行うことができる。
【発明を実施するための最良の形態】
【０００９】
本発明は、ボールベアリング抑え体用ねじ孔にボルトを取付けた状態で、ボールベアリング抑え体を前蓋に設けることにより、ボールベアリング抑え体とロータとの間の間隙を従来よりも縮めることができ、結果的にモータの全長を縮めることができるようにした回転軸のボールベアリング抑え構造を提供することを目的とする。
【実施例】
【００１０】
以下、図面と共に本発明による回転軸のボールベアリング抑え構造の好適な実施の形態について説明する。
尚、従来例と同一又は同等部分には同一符号を用いて説明する。
図１において符号１で示されるものはロータ２を固定して有する回転軸であり、この回転軸１の一端側１ａにはボールベアリング３を介して前蓋４が設けられている。
前記前蓋４には、図示しない周知のモータケース及び後蓋並びにこの後蓋に設けられたボールベアリング３Ａによって前記回転軸１が回転自在に保持されている。
【００１１】
前記前蓋４の内面４ａには、複数の前蓋用ねじ孔５が形成され、この内面４ａには円盤状をなすボールベアリング抑え体６が設けられ、このボールベアリング抑え体６は前記ボールベアリング３を内側から抑えることができるように構成されている。
【００１２】
前記ボールベアリング抑え体６に形成された各抑え体用ねじ孔２０（図２〜４に示す）には、図５及び図６で示されるボルト８が螺入されており、このボルト８のねじ部８ａが前記前蓋用ねじ孔５に螺入することにより、前記ボールベアリング抑え体６が前記前蓋４の内面４ａに装着することができるように構成されている。
【００１３】
前記ボルト８は、図５及び図６で示されるように、その先端側に形成されたねじ部８ａと、このねじ部８ａに連続して形成された非ねじ部８ｂと、前記非ねじ部８ｂに連続して形成された頭部８ｃと、から構成されている。
従って、前記ボルト８は、その先端側から軸方向に沿って順に、ねじ部８ａ、非ねじ部８ｂ及び頭部８ｃが形成され、前記非ねじ部８ｂの外径は前記ねじ部８ａの外径よりも小径に形成され、前記頭部８ｃの形状は六角形等の多角形によって構成されている。
【００１４】
従って、前述のボールベアリング抑え体６及びボルト８を用いて回転軸１のボールベアリング抑え構造の組み立てを行う場合、まず、ボールベアリング抑え体６の抑え体用ねじ孔２０に対してボルト８のねじ部８ａを螺入し、このねじ部８ａを抑え体用ねじ孔２０に貫通させると、この抑え体用ねじ孔２０に前記非ねじ部８ｂが係合した状態で前記ボルト８がボールベアリング抑え体６に装着された状態となる。
【００１５】
前述の状態で、ボルト８が組み込まれた前記ボールベアリング抑え体６を、前記ロータ２と前蓋４との間に挿入すると共に、各抑え体用ねじ孔２０内に貫通して設けられた各ボルト８の頭部８ｃをスパナ等の工具で回転させることにより、各ボルト８のねじ部８ａは前蓋４の前蓋用ねじ孔５に螺入し、ボールベアリング抑え体６は前蓋４の内面４ａに装着される。
【図面の簡単な説明】
【００１６】
【図１】本発明による回転軸のボールベアリング抑え構造を示す断面図である。
【図２】図１の要部の左側面図である。
【図３】図２の断面図である。
【図４】図１の要部の右側面図である。
【図５】図１のボルトの正面図である。
【図６】図５の右側面図である。
【図７】従来構成を示す断面図である。
【符号の説明】
【００１７】
１    回転軸
１ａ    一端側
２    ロータ
３、３Ａ    ボールベアリング
４    前蓋
４ａ    内面
５    前蓋用ねじ孔
６    ボールベアリング抑え体
８    ボルト
８ａ    ねじ部
８ｂ    非ねじ部
８ｃ    頭部
２０    抑え体用ねじ孔
【図１】
2010059983.tif 000003
【図２】
2010059983.tif 000004
【図３】
2010059983.tif 000005
【図４】
2010059983.tif 000006
【図５】
2010059983.tif 000007
【図６】
2010059983.tif 000008
【図７】
2010059983.tif 000009